(57)【要約】【課題】屋上躯体を構築し、屋上躯体に足場揚重手段を設置する前であっても、建物の外壁面の塗装、補修、目地シールなどの外部作業を可能とするクライミング足場を提供すること。【解決手段】上フロア１０４の躯体梁１０２Ａと下フロア１０５の躯体梁１０２Ｂとに取り付けられ、建物の外部に延在する一対のガイド部材３により、上フロア１０４と下フロア１０５とに亘り、上昇可能に支承された被ガイド部材４を基部として作業足場５を組み付けたので、屋上躯体を構築し、屋上躯体に足場揚重手段が設置される前であっても、建物の外壁面の塗装、補修、目地シールなどの外部作業が可能となる。【選択図】        図３
2006348601.tif 000002
【特許請求の範囲】
【請求項１】
カーテンウォールを施工した建物の外部に付設するクライミング足場において、
上フロアの躯体梁と下フロアの躯体梁とに取り付けられ、建物の外部に延在する一対のガイド部材により、上フロアと下フロアとに亘り、上昇可能に支承された被ガイド部材を基部として作業足場を組み付けたことを特徴とするクライミング足場。
【請求項２】
前記ガイド部材が、前記躯体梁に取り付けた支持ベースと、支持ベースに取り付けたガイドとからなり、
前記被ガイド部材が、ガイドに収容されたガイドレールと、ガイドレールに取り付けたフレームとからなることを特徴とする請求項１に記載のクライミング足場。
【請求項３】
前記支持ベースは、カーテンウォールの縦目地から外部に延在する支持部と、躯体梁に取り付ける取付部とを有し、前記取付部を躯体柱に沿って取り付けたことを特徴とする請求項２に記載のクライミング足場。
【発明の詳細な説明】
【技術分野】
【０００１】
本発明は、クライミング足場に関し、特にカーテンウォールを施工する建物の外部に付設するクライミング足場に関するものである。
【背景技術】
【０００２】
プレキャストコンクリート等の壁材で外壁にカーテンウォールを構築した建物が広く知られている。このような建物の壁材は、予め工場で製作され、施工現場の進捗状況に応じて施工現場に搬入される。そして、壁材はクレーン等の揚重手段により、地上、あるいはトラックからつり上げられて、建物躯体の建ち上がりに合わせて下方から順次躯体に取り付けられる。その後、外壁面の塗装、補修、目地シールなどの外部作業を経て、建物の外壁面が完成することになる。
【０００３】
このように外壁にカーテンウォールを構築した建物の施工性を改善するものとして、カーテンウォール組立装置が提案されている。このカーテンウォール組立装置は、建物外壁面の地上部に、外壁面に取り付ける外装カーテンウォールの組立作業施設を設置する一方、組立作業施設と外壁面との間に亘って、外壁面に敷設された垂直のガイドレールに案内されて昇降する組立足場を装架してある。そして、外装カーテンウォール組立装置に壁材を搬入して、組立足場上に一層分の大きさのカーテンウォールを組み立てた後、屋上躯体に設置した電動巻上機等の足場揚重手段によって所定の位置まで上昇せしめて、カーテンウォールを建物外壁面に固定していた（たとえば、特許文献１参照）。
【０００４】
【特許文献１】特開平７−５４４９１号公報
【発明の開示】
【発明が解決しようとする課題】
【０００５】
しかしながら、このようなカーテンウォール組立装置は、屋上躯体を構築し、屋上躯体に足場揚重手段を設置するまでは、外壁面にカーテンウォールを設置できないばかりか、外部作業に着手できず、工程上や止水の上で問題となっていた。
【０００６】
本発明は、上記に鑑みてなされたものであって、屋上躯体を構築し、屋上躯体に足場揚重手段を設置する前であっても、施工階の養生、建物の外壁面の塗装、補修、目地シールなどの外部作業を可能とするクライミング足場を提供することを目的とする。
【課題を解決するための手段】
【０００７】
上述した課題を解決し、目的を達成するために、本発明は、カーテンウォールを施工した建物の外部に付設するクライミング足場において、上フロアの躯体梁と下フロアの躯体梁とに取り付けられ、建物の外部に延在する一対のガイド部材により、上フロアと下フロアとに亘り、上昇可能に支承された被ガイド部材を基部として作業足場を組み付けたことを特徴とする。
【０００８】
また、本発明は、上記請求項１において、前記ガイド部材が、前記躯体梁に取り付けた支持ベースと、支持ベースに取り付けたガイドとからなり、前記被ガイド部材が、ガイドに収容されたガイドレールと、ガイドレールに取り付けたフレームとからなることを特徴とする。
【０００９】
また、本発明は、上記請求項２において、前記支持ベースは、カーテンウォールの縦目地から外部に延在する支持部と、躯体梁に取り付ける取付部とを有し、前記取付部を躯体柱に沿って取り付けたことを特徴とする。
【発明の効果】
【００１０】
本発明にかかるクライミング足場は、上フロアの躯体梁と下フロアの躯体梁とに取り付けられ、建物の外部に延在する一対のガイド部材により、上フロアと下フロアとに亘り、上昇可能に支承された被ガイド部材を基部として作業足場を組み付けたので、屋上躯体を構築し、屋上躯体に足場揚重手段が設置される前で合っても、クレーン等の足場揚重手段によって足場を上昇させることにより、下フロアから上フロアに順番に外部作業が可能となる。
【発明を実施するための最良の形態】
【００１１】
以下に、本発明にかかるクライミング足場の実施例を図面に基づいて詳細に説明する。なお、この実施例によりこの発明が限定されるものではない。
【実施例１】
【００１２】
図１は本発明の実施例１にかかるクライミング足場を付設した高層建物を示す正面図、図２は図１に示したクライミング足場を付設した高層建物を示す平面図、図３は図１に示したクライミング足場を付設した高層建物を示す側面図である。
【００１３】
本発明の実施例１にかかるクライミング足場は、カーテンウォールを施工した高層建物１００の外部に付設するクライミング足場１であって、作業足場となる部分に、単管足場を採用したものである。
【００１４】
図１〜図３に示すように、本発明の実施例１にかかるクライミング足場１を付設する高層建物１００は、躯体柱１０１と、躯体梁１０２とを有するものであって、躯体柱１０１と躯体梁１０２の外部の外壁となる部分にカーテンウォール１０３が配設してある。カーテンウォール１０３は、たとえば、プレキャストコンクリートにより構築されたものであり、縦目地となる部分に間隙を有している。
【００１５】
本発明の実施例１にかかるクライミング足場１は、ガイド部材３と、被ガイド部材４と、足場５とを有している。ガイド部材３は、目地シール作業階となる上フロア１０４の躯体梁１０２Ａと、下フロア１０５の躯体梁１０２Ｂとに取り付けてある。
【００１６】
図４および図５に示すように、ガイド部材３は、躯体梁１０２に取り付けた支持ベース３１と、支持ベース３１に取り付けたガイド３２とからなる。支持ベース３１は、支持部３１ａと取付部３１ｂとを溶接して構築してある。支持部３１ａは、カーテンウォール１０３の縦目地となる間隙から外部に延在する部分である。支持部３１ａは、カーテンウォール１０３の縦目地となる間隙よりも薄く形成してあり、先端部にガイド取付穴（図示せず）が形成してある。取付部３１ｂは、支持ベース３１を躯体梁１０２に取り付ける部分であり、躯体柱１０１を避けるように、躯体柱１０１から離反する方向に延在している。たとえば、カーテンウォール１０３の縦目地の右側に躯体柱１０１が位置する場合には、取付部３１ｂが左側に延在するように形成してあり（図５参照）、カーテンウォール１０３の縦目地の左側に躯体柱１０１が位置する場合には、取付部３１ｂが右側に延在するように形成してある（図示せず）。したがって、図５に示すような左勝手の支持ベース３１と、右勝手の支持ベース（図示せず）を任意に使い分けることにより、躯体柱１０１を避けて、支持ベース３１を躯体梁１０２に取り付け可能である。なお、支持部３１ａと取付部３１ｂとの間は、補強のためのリブ３１ｃが溶接してある。
【００１７】
支持ベース３１のガイド取付穴には、ガイド３２が取り付けてある。ガイド３２は、取付部３２ａと支承部３２ｂとを有している。取付部３２ａは、ガイド３２を支持ベース３１に取り付ける部分であり、支持ベース３１の支持部３１ａの両側に延在するように形成してある。そして、取付部３２ａの一方から挿入したボルト３３が支持ベース３１のガイド取付穴を貫通し、取付部３２ａの他方に螺合することにより、ガイド３２は支持ベース３１に取り付けられる。支承部３２ｂは、被ガイド部材４を上昇可能に支承する部分であり、溝形鋼に山形鋼を溶接することにより、足場側の中央部が開口した断面がＣの字状となるリップ溝形状を有している。
【００１８】
被ガイド部材４は、ガイド部材３に支承される部材であり、上フロア１０４と下フロア１０５とに亘るように形成してある。被ガイド部材４は、ガイドレール４１とフレーム４２とからなり、ガイドレール４１がガイド３２に支承され、このガイドレール４１にフレーム４２が取り付けてある。
【００１９】
ガイドレール４１は、レール部４１ａと、連結部４１ｂとパイプ部４１ｃとを有し、レール部４１ａに任意の間隔で連結部４１ｂが溶接してある。レール部４１ａは角パイプにより構成してあり、ガイド３２の支承部３２ｂに収容してある。このため、ガイドレール４１はガイド３２に確実に支承されることになる。連結部４１ｂは、レール部４１ａとパイプ部４１ｃとを連結する部分であり、一端側がレール部４１ａに溶接してあり、ガイド３２の開口から足場側に延在し、他端側が交差するパイプ部４１ｃに溶接してある。なお、連結部４１ｂとパイプ部４１ｃとの間は、補強のためのリブ４１ｄが溶接してある。
【００２０】
フレーム４２は、平行に配設したパイプ４２ａに矩形の板材４２ｂを溶接することによりフィーレンディール構造としたものを、パイプ４２ａが角部に位置するように、連結部材４３により、連結したものである（図７参照）。このように構成したフレーム４２がクライミング足場１の主架構となる。
【００２１】
そして、ガイドレール４１のパイプ部４１ｃとフレーム４２のパイプ４２ａとは、市販のブラケット４４により連結してある。この結果、ガイドレール４１とフレーム４２とは一体となって、ガイド部材３に支承されることになる。
【００２２】
図６〜図８に示すように、フレーム４２には、支持部４５が設けてある。支持部４５は下フロア１０５の躯体梁１０２Ｂに取り付けた支持ベース３１と係合し、フレーム４２を支持するものであり、連結部材４３に組み付けてある。支持部４５は、山形鋼に平板を溶接することにより形成した下側が開口となるコの字状の支持部材４５ａと、支持部材４５ａに回動可能に取り付けた板状体４５ｂとを有している。この板状体４５ｂの端部には、ウェイト４５ｃが設けてあり、ウェイト４５ｃの反力により支持部材４５ａの開口に進入し、支持部材４５ａと係合し、支持ベース３１に支持されている。
【００２３】
フレーム４２には、市販のブラケットにより、足場５が組み付けてある。本実施例にかかる足場５は、単管足場であり、二つの目地シール作業階（上フロア１０４、下フロア１０５）のほか、階上フロア１０６に亘るように組み付けてある。そして、この足場５の外側全域を覆うように、養生シート６が張ってある（図３参照）。このため、階上フロア１０６を養生することも可能である。
【００２４】
上述した本発明の実施例１にかかるクライミング足場１によれば、目地シール作業階（上フロア１０４、下フロア１０５）において目地シール作業が可能となる。そして、さらに、目地シール作業階（上フロア１０４）の階上フロア１０６を養生させることが可能となる。
【００２５】
目地シール作業階（下フロア１０５、上フロア１０４）における目地シール作業が終了した場合には、階上フロア１０６の躯体梁１０２に高層建物１００の内部から支持ベース３１を取り付けた後、カーテンウォール１０３の外部からガイド３２を取り付ける。
【００２６】
その後、タワークレーン（図示せず）等の揚重手段により、足場５を揚重すると、足場５及び被ガイド部材４は、ガイド部材３に案内されて、上昇することになる。具体的には、足場５を組み付けたフレーム４２とガイドレール４１とが、支持ベース３１に取り付けたガイド３２に案内されて上昇（クライミング）することになる。
【００２７】
そして、支持部４５の板状体４５ｂが支持ベース３１に当接すると、図８−１に示すように、ウェイト４５ｃの反力に抗して板状体４５ｂが反時計回りに回動する。そして、板状体４５ｂが支持ベース３１を乗り越えると、再び板状体４５ｂがウェイト４５ｃの反力により時計回りに回動し、図８−２に示すように、板状体４５ｂが支持ベース３１に係止されることになる。
【００２８】
このように、足場５を揚重すると、上フロア１０４と階上フロア１０６とが目地シール作業階となる。そして、下フロア１０５の躯体梁１０２Ｂの支持ベース３１に取り付けてあるガイド３２をカーテンウォール１０３の外側から取り外した後に、下フロア１０５の躯体梁１０２Ｂに取り付けてある支持ベース３１をカーテンウォール１０３の内側から取り外せば、上フロア１０４の目地全域に亘って目地シール作業が可能となる。
【００２９】
上述したように、クライミング足場１を順次上階に移動させれば、屋外躯体を構築し、屋上躯体に足場揚重手段を設置する前であっても、建物の外壁面の塗装、補修、目地シールなどの外部作業が可能となる。
【実施例２】
【００３０】
図９は本発明の実施例２にかかるクライミング足場を付設した高層建物を示す正面図、図１０は図９に示したクライミング足場を付設した高層建物を示す平面図、図１１は図９に示したクライミング足場を付設した高層建物を示す側面図である。
【００３１】
本発明の実施例２にかかるクライミング足場１０は、実施例１にかかるクライミング足場１と同様に、カーテンウォール１０３を施工した高層建物１００の外部に付設するクライミング足場１０であって、作業足場となる部分に、枠組み足場を採用したものである。
【００３２】
本発明の実施例２にかかるクライミング足場１０は、図９〜図１１に示すように、作業足場となる部分に枠組み足場を適用したことを除いて、実施例１にかかるクライミング足場と異なるところはないので、説明を省略する。
【００３３】
上述した実施例１にかかるクライミング足場１は、作業足場として単管足場を採用し、実施例２にかかるクライミング足場１０は、作業足場として枠組み足場を採用したが、作業足場はこれらに限られるものではなく、任意の構造の作業足場を採用可能である。
【産業上の利用可能性】
【００３４】
以上のように、本発明のクライミング足場は、施工階の養生およびプレキャストカーテンウォールの塗装、補修、目地シール等の外部作業に有用であり、特に、高層建物のクライミング足場に適している。
【図面の簡単な説明】
【００３５】
【図１】本発明の実施例１にかかるクライミング足場を付設した高層建物を示す正面図である。
【図２】図１に示したクライミング足場を付設した高層建物を示す平面図である。
【図３】図１に示したクライミング足場を付設した高層建物を示す側面図である。
【図４】図１に示したクライミング足場の壁つなぎ部を示す側面図である。
【図５】図４に示したクライミング足場の壁つなぎ部を示す平面図である。
【図６】図１に示したクライミング足場の支持部を示す側面図である。
【図７】図６に示したクライミング足場の支持部を示す平面図である。
【図８−１】セット時のクライミング足場の支持部を示す概念図である。
【図８−２】クライミング時のクライミング足場の支持部を示す概念図である。
【図９】本発明の実施例２にかかるクライミング足場を付設した建物を示す正面図である。
【図１０】図９に示したクライミング足場を付設した高層建物を示す平面図である。
【図１１】図９に示したクライミング足場を付設した高層建物を示す側面図である。
【符号の説明】
【００３６】
１，１０    クライミング足場
３    ガイド部材
４    被ガイド部材
５    足場
６    養生シート
３１    支持ベース
３１ａ    支持部
３１ｂ    取付部
３１ｃ    リブ
３２    ガイド
３２ａ    取付部
３２ｂ    支承部
３３    ボルト
４１    ガイドレール
４１ａ    レール部
４１ｂ    連結部
４１ｃ    パイプ部
４１ｄ    リブ
４２    フレーム
４２ａ    パイプ
４２ｂ    板材
４３    連結部材
４４    ブラケット
４５    支持部
４５ａ    支持部材
４５ｂ    板状体
４５ｃ    ウェイト
１００    高層建物
１０１    躯体柱
１０２    躯体梁
１０２Ａ    躯体梁
１０２Ｂ    躯体梁
１０３    カーテンウォール
１０４    上フロア
１０５    下フロア
１０６    階上フロア
【図１】
2006348601.tif 000003
【図２】
2006348601.tif 000004
【図３】
2006348601.tif 000005
【図４】
2006348601.tif 000006
【図５】
2006348601.tif 000007
【図６】
2006348601.tif 000008
【図７】
2006348601.tif 000009
【図８−１】
2006348601.tif 000010
【図８−２】
2006348601.tif 000011
【図９】
2006348601.tif 000012
【図１０】
2006348601.tif 000013
【図１１】
2006348601.tif 000014